(57)【要約】【課題】天板の高さを調整するためのペダルの踏み込み操作を容易に行うことができるとともに、使用者によってペダルが不用意に踏み込み操作されないようにすることができるテーブルを提供する。【解決手段】外側支柱１２と内側支柱１５との間で、外側支柱１２に対して内側支柱１５を昇降可能に支持するガスシリンダ２０の固定状態を解除する固定解除機構２４を、外側支柱１２に対して回動可能に支持された第１ペダルアーム２７と、この第１ペダルアーム２７に対して上方に回動可能に支持されるとともにペダル３０を支持する第２ペダルアーム３１とにより構成する。さらに、第１ペダルアーム２７に支持した連結部材２９の両片の内面と、第２ペダルアーム３１の基端部外面との間に、第２ペダルアーム３１を弾性的に挟持する一対のさらばねを設け、この弾性挟持力により、ペダル３０を上方へ跳ね上げられた状態で保持する。【選択図】図４
0003120086.tif 000002
【実用新案登録請求の範囲】
【請求項１】
床面上に載置される固定側支持体と、この固定側支持体に対して昇降可能に支持された昇降支柱と、この昇降支柱の上端に支持された天板と、前記固定側支持体と前記昇降支柱との間において固定側支持体に対して昇降支柱を高さ調整可能に支持する高さ調整機構と、この高さ調整機構による昇降支柱の固定状態を解除するための固定解除機構とを備え、
同固定解除機構は、前記固定側支持体に対して回動可能に支持されるとともに前記高さ調整機構の固定状態を解除操作するためのペダルアームと、このペダルアームに支持されるとともに使用者によって上方から踏み込み操作されるペダルとを備えたテーブルにおいて、
前記ペダルアームを、前記固定側支持体に対して回動可能に支持された第１ペダルアームと、この第１ペダルアームに対して上方に回動可能に支持されるとともに前記ペダルが固定された第２ペダルアームとから構成し、さらに、前記ペダルを上方へ跳ね上げた状態で保持する保持手段を設けたことを特徴とするテーブル。
【請求項２】
前記高さ調整機構は、シリンダチューブ内のガス圧によるピストンロッドの延出動作によって前記昇降支柱を支持するとともに、同シリンダチューブに対する同ピストンロッドの出没動作を禁止状態又は許容状態に切り替え可能なガスシリンダであることを特徴とする請求項１に記載のテーブル。
【請求項３】
前記保持手段は、前記第２ペダルアームを弾性的に挟持する挟持手段であることを特徴とする請求項１又は請求項２に記載のテーブル。
【請求項４】
前記挟持手段は、前記第２ペダルアームを挟持するように設けられたさらばねであることを特徴とする請求項３に記載のテーブル。
【考案の詳細な説明】
【技術分野】
【０００１】
この考案は、天板の高さを調節可能なテーブルに関するものである。
【背景技術】
【０００２】
従来、この種のテーブルとしては、例えば特許文献１に記載されたものがある。このテーブルは、床面上に載置される基台、この基台の中央に立設された断面八角形の支柱、及び、この支柱によって中央部が支持された矩形状の天板によって構成されている。さらに、支柱は、基台側に固定される断面八角形の外側柱部と、この外側柱部に対しその内側において昇降可能に支持されるとともに天板に固定された内側柱部とからなっている。外側柱部と内側柱部との間には、外側柱部に対して上側柱部を高さ調整可能に支持するガスシリンダが設けられている。このガスシリンダは、通常においてはシリンダチューブに対してピストンロッドが固定された状態となっており、ピストンロッドの先端から外部に延出されたロック解除用のプッシュロッドを押し込んだ状態において、シリンダチューブに対するピストンロッドの出入りが許容される。このプッシュロッドは、テーブルに設けられたペダルを使用者が踏み込み操作することによってピストンロッド内に押し込まれる。そして、使用者は、ペダルを踏み込み操作した状態で天板の高さを調整することができる。このテーブルは、天板の中央部が一本の支柱で支持されていることから車椅子での使用時に車椅子が支柱や基台に干渉せず、使い勝手に優れている。
【特許文献１】特開２００４−８９５７５号公報
【考案の開示】
【考案が解決しようとする課題】
【０００３】
しかしながら、上記特許文献１のテーブルにおいては、ペダルが支柱の下端外周から外側に延出されているので、使用者がペダルを下方に踏み込み操作し易い反面、テーブルを使用している使用者の足が不用意にペダルの上面に当たりやすかった。このため、ペダルが下方に踏み込み操作された状態となり、使用者の意に反して天板の高さが変わってしまう虞があった。
【０００４】
この考案の目的とするところは、天板の高さを調整するためのペダルの踏み込み操作を容易に行うことができるとともに、使用者によってペダルが不用意に踏み込み操作されないようにすることができるテーブルを提供することにある。
【課題を解決するための手段】
【０００５】
上記の目的を達成するために、請求項１に記載の考案は、床面上に載置される固定側支持体と、この固定側支持体に対して昇降可能に支持された昇降支柱と、この昇降支柱の上端に支持された天板と、前記固定側支持体と前記昇降支柱との間において固定側支持体に対して昇降支柱を高さ調整可能に支持する高さ調整機構と、この高さ調整機構による内側支柱の固定状態を解除するための固定解除機構とを備え、同固定解除機構は、前記外側支柱に対して回動可能に支持されるとともに前記流体圧シリンダの固定状態を解除操作するためのペダルアームと、このペダルアームに支持されるとともに使用者によって上方から踏み込み操作されるペダルとを備えたテーブルにおいて、前記ペダルアームを、前記外側支柱に対して回動可能に支持された第１ペダルアームと、この第１ペダルアームに対して上方に回動可能に支持されるとともに前記ペダルが固定された第２ペダルアームとから構成し、さらに、前記ペダルを上方へ跳ね上げた状態で保持する保持手段を設けたことを特徴とする。
【０００６】
請求項２に記載の考案は、請求項１に記載の考案に加えて、前記高さ調整機構は、シリンダチューブ内のガス圧によるピストンロッドの延出動作によって前記昇降支柱を支持するとともに、同シリンダチューブに対する同ピストンロッドの出没動作を禁止状態又は許容状態に切り替え可能なガスシリンダであることを特徴とする。
【０００７】
請求項３に記載の発明は、請求項１又は請求項２に記載の発明において、前記保持手段は、前記第２ペダルアームを弾性的に挟持する挟持手段であることを特徴とする。
請求項４に記載の発明は、請求項３に記載の発明において、前記挟持手段は、前記第２ペダルアームを挟持するように設けられたさらばねであることを特徴とする。
【考案の効果】
【０００８】
この考案においては、使用者がペダルを下方に踏み込み操作すると、第１ペダルアーム及び第２ペダルアームが一体的に回動し、流体圧シリンダの固定状態が解除される。この状態において、天板の高さ調整が可能となる。一方、ペダルを上方に引くと、第２ペダルアームに対して第１ペダルアームが上方に回動し、ペダルが上方へ跳ね上げられた状態となって保持手段により保持される。従って、天板の高さを調整するためのペダルの踏み込み操作を容易に行うことができるとともに、使用者によってペダルが不用意に踏み込み操作されないようにすることができる。
【０００９】
また、前記保持手段は、第２ペダルアームを弾性的に挟持する挟持手段であることが好ましい。この場合には、跳ね上げられたペダルが不用意に下方に回動しないようにすることができる。また、ペダルを中途半端に上方に跳ね上げたときに、ペダルが元の位置に落下しないようにすることができる。従って、操作性が向上する。
【考案を実施するための最良の形態】
【００１０】
次に、この考案を具体化した一実施形態について図１〜図８に従って説明する。
図１及び図２に示すように、テーブル１０は、床面上に載置される木製の脚１１を備え、この脚１１の上面中央には、金属板によって形成された断面八角形の筒状の外側支柱１２が立設されている。この実施形態では、脚１１及び外側支柱１２が固定側支持体を構成している。
【００１１】
図３及び図４に示すように、外側支柱１２の上部内側には、互いに対向する断面コ字形状のローラブラケット１３が２組固定され、この各ローラブラケット１３には、それぞれ４つのローラ１４が回動可能に支持されている。そして、外側支柱１２の内側には、金属によって形成された断面四角形の筒状の内側支柱１５が、各ローラブラケット１３の各ローラ１４によって昇降可能に支持されている。内側支柱１５は、外側支柱１２の底部開口内に溶接された台座１６の上面に当接する位置を最低高さとし、図２に示すように、この最低高さ以上の高さ範囲を昇降可能とされている。内側支柱１５の上端には、図１及び図４に示すように、金属製の枠体１７が支持され、この枠体１７上には天板１８が固定されている。
【００１２】
図４に示すように、前記台座１６と、内側支柱１５の上部内側に支持された連結軸１９との間には、外側支柱１２に対して内側支柱１５を高さ調整可能に支持する高さ調整機構としてのガスシリンダ２０が配設されている。このガスシリンダ２０は、カヤバ工業株式会社製の商品名「フリーロック」であって、シリンダチューブ２１に対してピストンロッド２２を押し込むときにシリンダチューブ２１内で窒素ガスを圧縮することによって発生させた反力によって内側支柱１５を支持する。また、このガスシリンダ２０は、ピストンロッド２２の先から延出されたプッシュロッド２３を備え、このプッシュロッド２３がピストンロッド２２内に押し込まれた状態において、シリンダチューブ２１に対するピストンロッド２２の出没動作を許容する。一方、ガスシリンダ２０は、プッシュロッド２３がピストンロッド２２に押し込まれない状態においては、シリンダチューブ２１に対するピストンロッド２２の出没動作を禁止するようになっている。そして、ガスシリンダ２０は、シリンダチューブ２１の端部が前記連結軸１９に結合されるとともに、ピストンロッド２２の端部が台座１６に結合されている。また、プッシュロッド２３の先端は、台座１６に設けられた孔を挿通して台座１６の下方に延出されている。
【００１３】
図４に示すように、外側支柱１２の下部には、使用者による操作によって前記ガスシリンダ２０におけるピストンロッド２２の出没動作禁止状態を一時的に解除して、使用者による天板の高さ調整を許容するための固定解除機構２４が設けられている。
【００１４】
図４及び図６に示すように、固定解除機構２４は、コ字形状に形成されるとともに台座１６の下面に固定されるブラケット２５を備え、このブラケット２５の両片間には、水平方向に延びるように支持軸２６が支持される。この支持軸２６には、板状の第１ペダルアーム２７が回動可能に支持され、この第１ペダルアーム２７の下面には板状の支持片２８が固定されている。さらに、この支持片２８の端部上面には、コ字形状の連結部材２９が固定され、この連結部材２９の両片間には、ペダル３０が固定された第２ペダルアーム３１の基端が、連結ボルト３２及び弛み止めナット（通称Ｕ−ナット）３３（図６に図示）によって回動可能に連結されている。そして、第２ペダルアーム３１は、その基端の下面が連結部材２９の中央部上面に当接する位置から上方に回動可能とされている。さらに、連結部材２９の各片の内面と、第２ペダルアーム３１の各側面との間には、保持手段及び挟持手段としてのさらばね３４（図６に図示）がそれぞれ介在されている。一対のさらばね３４は、弛み止めナット３３により、締め付けられた状態で安定的に保持される。このため、第２ペダルアーム３１は、一対のさらばね３４により、弾性的に挟持された状態で安定的に保持される。また、前記第１ペダルアーム２７の基端部上面には、板状の押圧部材３５が固定されている。この押圧部材３５は、図３及び図４に示すように、前記ガスシリンダ２０のプッシュロッド２３に対して当接可能となっている。なお、第１ペダルアーム２７及び支持片２８は、図５及び図７に示すように、外側支柱１２の下端部に設けられた開口部１２ａを通じて外側支柱１２の外部に延出されている。この実施形態においては、第１ペダルアーム２７及び第２ペダルアーム３１がペダルアームを構成する。
【００１５】
次に、上記のように構成された実施形態の作用について説明する。
使用者によりペダル３０が踏み込み操作されていない状態においては、ペダル３０及び第２ペダルアーム３１の重さによって第１ペダルアーム２７が回動しようとするため、図４に示すように、押圧部材３５の上面がガスシリンダ２０のプッシュロッド２３の先端に当接した状態となる。このとき、ペダル３０は、図７に示すように、外側支柱１２の外面から外側に延出した位置に配置されるので、使用者による踏み込み操作が容易となる。
【００１６】
天板１８の高さを調整するために、図５に示すように、使用者がペダル３０を足で下方に踏み込み操作すると、第２ペダルアーム３１及び第１ペダルアーム２７が一体的に回動し、押圧部材３５が上方に移動することによりプッシュロッド２３がピストンロッド２２に押し込まれる。このため、ガスシリンダ２０においては、シリンダチューブ２１に対するピストンロッド２２の出没動作が許容される。この状態において、使用者が天板１８を上方に引くと、天板１８がより高い位置に移動する。また、使用者が天板１８を下方に押すと、天板１８がより低い位置に移動する。そして、使用者がペダル３０の踏み込みを止めると、プッシュロッド２３がピストンロッド２２から突出するとともにペダル３０が元の位置に戻る。
【００１７】
天板１８の高さ調整を行う必要がないときに使用者がペダル３０を上方へ引くと、図４に二点鎖線で示すように、ペダル３０及び第２ペダルアーム３１が連結ボルト３２を中心として上方へ回動する。このとき、第２ペダルアーム３１が第１ペダルアーム２７に対し一対のさらばね３４によって弾性的に挟持されていることから、第２ペダルアーム３１の回動とともに第１ペダルアーム２７も上方に回動しようとする。しかし、第１ペダルアーム２７は、その上面が開口部１２ａの上側縁部に当接することにより、それ以上の回動が規制される。このため、第２ペダルアーム３１のみが上方に回動し、図８に示すように、ペダル３０が上方へ跳ね上げられる。そして、第２ペダルアーム３１は、ペダル３０の上面が外側支柱１２の外面に当接することによってそれ以上の回動が規制されるとともにさらばね３４の弾性挟持力によってその状態に位置される。従って、天板１８の高さ調整を行わないときには、図８に示すように、ペダル３０が、上方へ跳ね上げられた状態で保持されるので、使用者によって不用意にペダル３０が踏み込み操作されることはなくなる。
【００１８】
以上のように、この実施形態において天板１８の高さを調整しようとするときには、天板１８の中央を支持する外側支柱１２の下部外面から外側に向かって延出された第２ペダルアーム３１にペダル３０が支持されているので、使用者がペダル３０を容易に踏み込み操作するとともに天板１８の高さを調整することができる。一方、天板１８の高さを調整する必要がないときには、ペダル３０とともに第２ペダルアーム３１を上方に回動させることにより、ペダル３０を上方へ跳ね上げた状態で保持することができる。このため、使用者によって不用意にペダル３０を踏み込み操作されないようにするとともに、天板１８の高さが使用者の意に反して変わらないようにすることができる。
【００１９】
また、第２ペダルアーム３１の基端部側面と、連結部材２９の両片内面との間にそれぞれ設けたさらばね３４により、第２ペダルアーム３１を弾性的に挟持した。このため、さらばね３４を設けず第２ペダルアーム３１が弾性的に挟持されないようにした場合とは異なり、第２ペダルアーム３１とともに一旦跳ね上げられたペダル３０が不用意に下方に回動しないようにすることができる。また、ペダル３０を中途半端に上方に跳ね上げたときに、ペダル３０が元の位置に落下しないようにすることができる。従って、操作性が向上する。しかも、弛み止めナット３３により、両さらばね３４が締め付けられた状態が安定的に保持されるので、第２ペダルアーム３１が弾性的に挟持された状態が安定的に保持される。従って、長期間に亘って初期の操作性が確保される。
【００２０】
なお、さらばね３４に代えて、保持手段及び挟持手段としての一対のスプリングワッシャによって第２ペダルアーム３１を弾性的に挟持してもよい。
また、保持手段及び挟持手段としてのさらばね３４を設けず、第２ペダルアーム３１がペダル３０とともに外側支柱１２にもたれ掛かることにより、ペダル３０が上方へ跳ね上げられた状態で保持される構成としてもよい。この場合には、第２ペダルアーム３１及びペダル３０の大きさや、外側支柱１２の外形等によって保持手段が構成される。
【００２１】
また、この発明を、天板１８の高さを調整可能であるとともに、天板１８を例えば４５度以上傾斜させた状態で内側支柱１５に支持する支持機構を設けたテーブルに具体化してもよい。
【００２２】
また、この発明を、脚１１と外側支柱１２とが一体化された固定側支持体を備えるテーブルに具体化してもよい。
【図面の簡単な説明】
【００２３】
【図１】一実施形態のテーブルを示した斜視図。
【図２】同じくテーブルを示した側面図。
【図３】同じくテーブルを示した横断面図。
【図４】図３におけるａ−ａ線での縦断面図。
【図５】固定解除機構を示した側面図。
【図６】固定解除機構を示した分解斜視図。
【図７】天板の高さ調整を行うときのペダルを示した斜視図。
【図８】天板の高さ調整を行わないときのペダルを示した斜視図。
【符号の説明】
【００２４】
１０…テーブル、１１…固定側支持体を構成する脚、１２…同じく外側支柱、１５…昇降支柱としての内側支柱、１８…天板、２０…高さ調整機構としてのガスシリンダ、２１…シリンダチューブ、２２…ピストンロッド、２３…プッシュロッド、２４…固定解除機構、２７…ペダルアームを構成する第１ペダルアーム、３０…ペダル、３１…同じく第２ペダルアーム、３４…保持手段及び挟持手段としてのさらばね。
【図１】
0003120086.tif 000003
【図２】
0003120086.tif 000004
【図３】
0003120086.tif 000005
【図４】
0003120086.tif 000006
【図５】
0003120086.tif 000007
【図６】
0003120086.tif 000008
【図７】
0003120086.tif 000009
【図８】
0003120086.tif 000010